(57)【要約】【課題】より容易且つ迅速に、しかも紐状体がフックの軸部周方向に対して略均等に配置されたスカートを形成することができる疑似餌用装飾材とこれを用いた疑似餌とを提供する。【解決手段】疑似餌のフックを装飾するスカートＳを形成するための疑似餌用装飾材１０であって、軟質材料からなり、略同方向に引き揃えて配置された複数条の紐状体１２と、前記紐状体１２の長手方向中央部を互いに連結する中央連結部１４とを有することを特徴とする。【選択図】図１
2010172294.tif 000002
【特許請求の範囲】
【請求項１】
疑似餌のフックを装飾するスカートを形成するための疑似餌用装飾材であって、
軟質材料からなり、略同方向に引き揃えて配置された複数条の紐状体と
前記紐状体の長手方向中央部を互いに連結する中央連結部とを有することを特徴とする疑似餌用装飾材。
【請求項２】
前記複数条の紐状体の長手方向端部を連結する端部連結部が更に設けられていることを特徴とする請求項１に記載の疑似餌用装飾材。
【請求項３】
請求項１又は２に記載の疑似餌用装飾材を用いて形成したスカートでフックが装飾されていることを特徴とする疑似餌。
【発明の詳細な説明】
【技術分野】
【０００１】
本発明は、ラバージグやスピナーベイトなどの疑似餌にスカートを設ける際に使用する疑似餌用装飾材とこれを用いた疑似餌とに関する。
【背景技術】
【０００２】
釣り用の疑似餌には様々な種類のものがある。このうち、ラバージグやスピナーベイトあるいはエギの一部などには、ゴム系や酢酸ビニル系などの軟質素材からなる紐状体をフック(釣鈎)が隠れるように多数巻きつけた「スカート」と称される装飾が施されている（例えば、特許文献１）。
【０００３】
図５は、かかる疑似餌のうち、ラバージグ１を示すものであり、図５中における２は、おもりであるヘッド２ａとフック２ｂとからなるジグヘッドであり、３は、多数の紐状体３ａからなるスカートである。
【０００４】
ここで、ジグヘッド２に多数の紐状体３ａからなるスカート３を取り付けてラバージグ１を作製する際には、図６に示すような疑似餌用装飾材４が用いられている。
【０００５】
この疑似餌用装飾材４は、ゴム系や酢酸ビニル系などの軟質素材からなる短冊状の本体４ａを有しており、この本体４ａにおける長手方向両端部以外の部分には、幅方向にて互いに略平行するように延ばされた複数条のスリット５が設けられている。したがって、このスリット５によって複数に分離された本体４ａの部分が紐状体３ａとなり、スリット５が設けられない本体４ａの長手方向両端部が紐状体３ａの端部同士を互いに連結する連結部４ｂとなっている。
【０００６】
この疑似餌用装飾材４を用いてジグヘッド２にスカート３を設ける際には、疑似餌用装飾材４の長手方向中央部Ｃがジグヘッド２における所定の取付位置(図５に示す例では、フック２ｂの基部に設けられた取付部分２ｃ)に配置されるように位置決めし、疑似餌用装飾材４の長手方向中央部Ｃを前記取付位置に巻回した後、これをラインや針金などの締結部材でタイイング(糸巻き)して固定する。このような作業を繰り返し、ジグヘッド２の取付位置に１又は複数枚の疑似餌用装飾材４を取り付けた後、該装飾材４の長手方向両端部の連結部４ｂを切除することによって紐状体３ａが出現し、ジグヘッド２へのスカート３の取り付けが完了する。
【先行技術文献】
【特許文献】
【０００７】
【特許文献１】特開２００８−１８７９０７号公報
【発明の概要】
【発明が解決しようとする課題】
【０００８】
しかしながら、上述の疑似餌用装飾材４では、その長手方向中央部Ｃをジグヘッド２などの疑似餌の取付位置に巻回するときに熟練を要するという問題があった。すなわち、上記従来の疑似餌用装飾材４では、本体４ａをスリットして形成された後に紐状体３ａとなる部分が、その長手方向中央部Ｃにおいてそれぞれ分離・独立しているため、疑似餌用装飾材４の長手方向中央部Ｃをジグヘッド２などの取付位置に巻回する際に、後に紐状体３ａとなる部分が互いに重なるようになり、紐状体３ａを取付位置の周方向に均等に配置させるのが困難になる。このため、取付位置の周囲に紐状体３ａを均等に配置しようとした場合には、疑似餌用装飾材４の取り付けに時間が掛かるようになり、逆に、疑似餌用装飾材４を所定の取付位置に迅速に取り付けようとした場合には、フックの軸部周方向に対して均等に紐状体３ａを配置させるのが困難になるという問題があった。
【０００９】
なお、紐状体３ａをフックの軸部周方向に対して均等に配置させることができなかった場合には、近接する紐状体３ａ同士が干渉するようになり、その結果、水中での疑似餌の挙動が不自然なものとなり、釣果にも影響が出てくるようになる。
【００１０】
それゆえに、この発明の主たる課題は、熟練を要することなく容易且つ迅速に、しかも紐状体がフックの軸部周方向に対して略均等に配置されたスカートを形成することができる疑似餌用装飾材とこれを用いた疑似餌とを提供することである。
【課題を解決するための手段】
【００１１】
請求項１に記載した発明は、疑似餌のフックを装飾するスカートＳを形成するための「疑似餌用装飾材１０」であって、
（ａ）軟質材料からなり、略同方向に引き揃えて配置された複数条の紐状体１２と、
（ｂ）前記紐状体１２の長手方向中央部を互いに連結する中央連結部１４とを有することを特徴とする
（ｃ）疑似餌用装飾材１０
である。
【００１２】
一般的に疑似餌のフック近傍の取付位置に疑似餌用装飾材の長手方向中央部を巻き付け、これをラインや針金などでタイイングすることによって、フックを装飾するスカートの取り付けが行われるが、この発明では、疑似餌に巻き付けられ且つ固定される紐状体１２の長手方向中央部に紐状体１２同士を互いに連結する中央連結部１４が設けられているので、疑似餌にこの疑似餌用装飾材１０を巻回して取り付ける際に、略同方向に引き揃えて配置された紐状体１２同士が不所望に重なり合うのを防止することができる。その結果、紐状体１２を、容易且つ迅速に、フックの軸部周方向に対して略均等に配置させることができ、水中で近接する紐状体１２同士が干渉するのを防止することができる。
【００１３】
なお、本発明において「長手方向中央部」及び「中央連結部」の「中央」とは、紐状体の長手方向両端部を除く広範な部分を表わすものであり、より具体的には、疑似餌用装飾材を疑似餌の所定の取付位置に固定する際に、該取付位置に固定される紐状体の部分近傍を示すものである。
【００１４】
請求項２に記載した発明は、請求項１に記載の疑似餌用装飾材１０において、「複数条の紐状体１２の長手方向端部を連結する端部連結部１６が更に設けられている」ことを特徴とするもので、これにより、疑似餌用装飾材１０を疑似餌に取り付ける際に、紐状体１２の長手方向中央部のみならず、その端部がバラバラになるのを防止することができ、紐状体１２をより一層容易且つ迅速に、フックの軸部周方向に対して略均等に配置させることができるようになる。
【００１５】
請求項３に記載した発明は、「請求項１又は２に記載の疑似餌用装飾材１０を用いて形成したスカートＳでフックが装飾されている」ことを特徴とする疑似餌で、請求項１又は２に記載の疑似餌用装飾材１０を用いることにより、フックの周方向に対して紐状体１２が略均等に配置されたスカートＳを有する疑似餌を得ることができる。
【発明の効果】
【００１６】
本発明によれば、熟練を要することなく容易且つ迅速に、しかも紐状体がフックの軸部周方向に対して略均等に配置されたスカートを形成することが可能な疑似餌用装飾材とこれを用いた疑似餌とを提供することができる。
【図面の簡単な説明】
【００１７】
【図１】本発明の一実施例の疑似餌用装飾材を示す斜視図である。
【図２】図１におけるＸ−Ｘ断面図である。
【図３】本発明の疑似餌用装飾材を用いてスカートを形成する工程を示した説明図である。
【図４】本発明の他の実施例の疑似餌用装飾材を示す斜視図である。
【図５】スカートが設けられる疑似餌の一例(ラバージグ)を示す斜視図である。
【図６】従来の疑似餌用装飾材を示す斜視図である。
【発明を実施するための形態】
【００１８】
以下、本発明を図示実施例に従って詳述する。図１は、本発明の一実施例の疑似餌用装飾材１０を示す斜視図であり、図２は、図１におけるＸ−Ｘ断面図である。これらの図が示すように、本実施例の疑似餌用装飾材１０は、大略、紐状体１２,中央連結部１４，及び端部連結部１６で構成されている。
【００１９】
紐状体１２は、軟質材料からなる紐状の部材である。この紐状体１２を構成する軟質材料としては、天然ゴムやシリコーンゴム，ウレタンゴム，クロロプレンゴム等の合成ゴム、或いは熱可塑性エラストマや軟質プラスチックなどが挙げられるが、疑似餌に魚が食い付いた際、当該魚の口内に与える違和感の程度等を考慮すると、伸縮性に優れる、つまりゴム弾性を有する天然ゴム，合成ゴムおよび熱可塑性エラストマなどを用いるのが好ましい。中でも、比重が軽く(すなわち疑似餌全体の重さに影響を与えず)、柔軟性の高いシリコーンゴムを用いるのが最も好適である。
【００２０】
また、この紐状体１２の軸線と直交する断面の形状は特に限定されるものではなく、四角形状であってもよいし、円形状であってもよい。更に、紐状体１２の長さや外径も特に限定されるものではなく、その長さについて云えば、例えば、図３(c)に示すように、疑似餌用装飾材１０がジグヘッド２０に取り付けられてラバージグＡのスカートＳになるものである場合、疑似餌用装飾材１０をその長手方向中央部で折り返した際の長さが、フック２０ｂを十分に隠すことができる長さであればよい。
【００２１】
また、紐状体１２を構成する軟質材料に金属箔のような光反射材料を添加するようにしてもよいし、紐状体１２の表面に模様等を印刷するようにしてもよい。つまり、紐状体１２に集魚効果を高めるような様々な装飾を施すことができる。
【００２２】
そして、この紐状体１２は、複数条のものが略同方向に引き揃えて配置され(図１に示す例の場合、互いに紐状体１２が略平行するよう同一面上に配置され)、その長手方向両端部から等しい距離にある中央部分が中央連結部１４によって連結されている。
【００２３】
ここで、本実施例の疑似餌用装飾材１０では、軟質材料からなる短冊状の本体１０ａの長手方向中央部及び両端部を除いた部分に略平行なスリット１８(必要に応じてスリットを設ける間隔を変えるようにしてもよい)を設け、このスリット１８によって幅方向に分離する部分が紐状体１２となり、長手方向中央部のスリット１８が設けられない部分が中央連結部１４となり、更に、長手方向両端部のスリット１８が設けられない部分が端部連結部１６となるようにして疑似餌用装飾材１０が構成されている。つまり、中央連結部１４(後述する端部連結部１６も同様)を紐状体１２と一体的に形成する場合を示しているが、中央連結部１４として別体のものを用意し、互いに略平行し且つ同一面上に配置(すなわち、略同方向に引き揃えて配置)した複数条の紐状体１２の長手方向中央部を該中央連結部１４で連結するようにしてもよい。但し、前述のように、短冊状の本体１０ａに所定のスリット１８を設け、中央連結部１４(及び端部連結部１６)を紐状体１２と一体的に形成する方法であれば、疑似餌用装飾材１０を効率的且つ経済的に製造することができる。
【００２４】
なお、上述の例では、中央連結部１４を紐状体１２の両端部から等しい距離にある中央部分に設ける場合を示したが、この中央連結部１４は、紐状体の長手方向両端部を除く広範な部分に設けることができる。つまり、中央連結部１４は、疑似餌用装飾材１０を疑似餌の所定の取付位置に固定する際に、該取付位置に固定される紐状体１２の部分近傍に取り付けられるものであればよく、上記のものに限定されるものではない。
【００２５】
端部連結部１６は、紐状体１２の長手方向端部において、互いに略平行する複数条の紐状体１２同士を連結する部分であり、上述した中央連結部１４と同様に、紐状体１２と一体的に形成するようにしてもよいし、別体で形成した後、互いに略平行するように配置した複数条の紐状体１２の長手方向端部を該端部連結部１６で連結するようにしてもよい。
【００２６】
また、図１では、端部連結部１６を紐状体１２の長手方向両端部に設ける場合を示しているが、この端部連結部１６を紐状体１２の長手方向両端部の何れか一方に設けるようにしてもよい。
【００２７】
次に、以上のように構成された疑似餌用装飾材１０を用いて疑似餌にスカートＳを形成する方法について説明する。
【００２８】
図３は、疑似餌の一種であるラバージグＡの製造工程のうち、ジグヘッド２０に本発明の疑似餌用装飾材１０を用いてスカートＳを形成する工程を示した説明図である。ジグヘッド２０に本発明の疑似餌用装飾材１０を用いてスカートＳを形成する際には、まず始めに、ジグヘッド２０のヘッド２０ａとフック２０ｂとの連結部近傍に設けられたスカート取付部２０ｃの位置に疑似餌用装飾材１０の中央連結部１４が配置されるように位置決めし、疑似餌用装飾材１０の長手方向中央部をスカート取付部２０ｃに巻回した後、これをラインや針金などの締結部材２２でタイイング(糸巻き)して固定する。
【００２９】
このような作業を繰り返し、ジグヘッド２０のスカート取付部２０ｃに１又は複数枚(図３の例の場合２枚)の疑似餌用装飾材１０を取り付けた後、該装飾材１０の長手方向両端部の端部連結部１６を鋏などの切断具２４で切り落とす。
【００３０】
そして、端部連結部１６を切り落としてバラバラとなった紐状体１２のうち、ヘッド２０ａ側に位置するものをフック２０ｂ側に折り返すことによって、フック２０ｂを覆い隠すスカートＳの取り付けが完了する。
【００３１】
本実施例の疑似餌用装飾材１０によれば、ジグヘッド２０への取付部位である紐状体１２の長手方向中央部に紐状体１２同士を互いに連結する中央連結部１４が設けられているので、ジグヘッド２０のスカート取付部２０ｃに疑似餌用装飾材１０を巻回して取り付ける際に、互いに略平行する紐状体１２同士が不所望に重なり合うのを防止することができる。
【００３２】
さらに、この疑似餌用装飾材１０の長手方向両端部には、一対の端部連結部１６が設けられているので、この端部連結部１６が、中央連結部１４と協働して、互いに略平行する紐状体１２同士が不所望に重なり合うのをより一層効果的に防止することができ、その結果、紐状体１２をより一層容易且つ迅速に、フック２０ｂの軸部周方向に対して略均等に配置させることができる。
【００３３】
したがって、熟練を要することなく容易且つ迅速に、しかも紐状体１２がフック２０ｂの軸部周方向に対して略均等に配置されたスカートＳを形成することが可能な疑似餌用装飾材１０とこれを用いたラバージグＡとを提供することことができる。
【００３４】
なお、上述の実施例では、疑似餌用装飾材１０の長手方向両端部に端部連結部１６を設ける場合を示したが、中央連結部１４のみで十分な紐状体１２の重なり防止効果を奏することができる場合には、図４に示すように端部連結部を設けないようにしてもよい。かかる場合、上述した図３のスカート形成工程と異なり、疑似餌にスカートＳを形成する際に端部連結部の切除が不要となり、疑似餌に効率よくスカートＳを設けることができる。
【符号の説明】
【００３５】
１０…疑似餌用装飾材
１０ａ…(短冊状の)本体
１２…紐状体
１４…中央連結部
１６…端部連結部
１８…スリット
２０…ジグヘッド
２０ｃ…スカート取付部
２２…締結部材
Ａ…ラバージグ
Ｓ…スカート
【図１】
2010172294.tif 000003
【図２】
2010172294.tif 000004
【図３】
2010172294.tif 000005
【図４】
2010172294.tif 000006
【図５】
2010172294.tif 000007
【図６】
2010172294.tif 000008